(57)【要約】【課題】呼気に含まれるアルコール成分のガス濃度を被験者が中断することなく測定可能とするとともに、測定被験者の通常時の顔を撮影することによって本人確認を簡易にし、替え玉行為を防止することができる呼気成分測定システム、呼気成分測定装置、呼気成分測定方法、およびプログラムを提供することを目的とする。【解決手段】呼気成分測定システムは、アルコール濃度を測定するセンサと、撮像装置と、撮像装置に撮像を行わせる操作部と、操作部が操作されてからの経過時間を計時する計時部と、計時部によって計時された時間が所定時間内にある場合に、センサが測定した測定データを有効とし、新たな画像データの取り込みを禁止し、計時された時間が所定時間内にない場合に、センサが測定した測定データを無効とし、新たな画像データの取り込みを有効とする測定制御部と、を備える。【選択図】図１
2015175665.tif 000002
【特許請求の範囲】
【請求項１】
アルコール濃度を測定するセンサと、
撮像装置と、
前記撮像装置に撮像を行わせる操作部と、
前記操作部が操作されてからの経過時間を計時する計時部と、
前記計時部によって計時された時間が所定時間内にある場合に、前記センサが測定した測定データを有効とし、新たな画像データの取り込みを禁止し、前記計時された時間が前記所定時間内にない場合に、前記センサが測定した測定データを無効とし、新たな画像データの取り込みを有効とする測定制御部と、
を備える呼気成分測定システム。
【請求項２】
前記所定時間は、
前記操作部が操作されてから、被験者が当該呼気成分測定システムに息を吹き込むまでの時間である、請求項１に記載の呼気成分測定システム。
【請求項３】
前記測定制御部は、
前記操作部が操作されたことに応じて、前記所定時間内に複数回の撮像を行わせる、請求項１または請求項２に記載の呼気成分測定システム。
【請求項４】
前記撮像された画像データと測定データと被験者を識別する識別情報とが記憶される記憶部、を備え、
前記測定制御部は、
前記撮像された画像に基づいて被験者を認識し、前記認識した結果に基づいて、認識された被験者の過去の測定データを前記記憶部から読み出し、前記読み出した測定データに応じて前記所定時間を変更する、請求項１から請求項３のいずれか１項に記載の呼気成分測定システム。
【請求項５】
前記測定制御部は、
前記計時された時間が前記所定時間内にない場合であっても、前記撮像された画像データを前記記憶部に記憶させる、請求項４に記載の呼気成分測定システム。
【請求項６】
前記測定制御部は、
前記撮像された画像に基づいて被験者を認識し、前記認識した結果に基づいて、認識された被験者の過去の測定データを前記記憶部から読み出し、前記読み出した測定データに応じて前記所定時間に撮像する画像の枚数を変更する、請求項４または請求項５に記載の呼気成分測定システム。
【請求項７】
アルコール濃度を測定するセンサと、
撮像装置と、
前記撮像装置に撮像を行わせる操作部と、
前記操作部が操作されてからの経過時間を計時する計時部と、
前記計時部によって計時された時間が所定時間内にある場合に、前記センサが測定した測定データを有効とし、新たな画像データの取り込みを禁止し、前記計時された時間が前記所定時間内にない場合に、前記センサが測定した測定データを無効とし、新たな画像データの取り込みを有効とする測定制御部と、
を備える呼気成分測定装置。
【請求項８】
センサが、アルコール濃度を測定する測定手順と、
操作部が検出した結果に応じて、撮像装置に撮像を行わせる手順と、
計時部が、前記操作部が操作され撮像が行われてからの経過時間を計時する計時手順と、
測定制御部が、前記計時手順によって計時された時間が所定時間内にある場合に、前記測定手順によって測定された測定データを有効とし、新たな画像データの取り込みを禁止し、前記計時された時間が前記所定時間内にない場合に、前記測定手順によって測定された測定データを無効とし、新たな画像データの取り込みを有効とする手順と、
を含む呼気成分測定方法。
【請求項９】
呼気成分測定装置のコンピュータに、
アルコール濃度の測定を指示する測定指示手順と、
撮像を行う撮像装置に対して、撮像の許可を示す撮像指示または不許可を示す撮像禁止指示を出力する手順と、
前記撮像が行われたことを示す情報を受信する受信手順と、
前記情報を受信してからの経過時間を計時する計時手順と、
前記計時手順によって計時された時間が所定時間内にあるか否かを判別する手順と、
前記計時された時間が所定時間内にある場合に、前記測定手順によって測定された測定データを有効とし、新たな画像データの取り込みを禁止する撮像禁止指示を生成する手順と、
前記計時された時間が前記所定時間内にない場合に、前記測定手順によって測定された測定データを無効とし、新たな画像データの取り込みを有効とする撮像指示を生成する手順と、
を実行させるプログラム。
【発明の詳細な説明】
【技術分野】
【０００１】
本発明は、呼気成分測定システム、呼気成分測定装置、呼気成分測定方法、およびプログラムに関する。
【背景技術】
【０００２】
近年、飲酒運転を防止する意識が高まっている。このため、旅客自動車運送事業者および貨物自動車運送事業者は、運転者が事業所から出発する前および事業所に帰った後に、アルコール検知器の使用により酒気帯びの有無の確認を行い、その結果を記録するのが望ましい。
例えば、日本では、国土交通省によって、旅客自動車運送事業者および貨物自動車運送事業者が運転者の酒気帯びの有無を記録することが義務づけられている。また、運転者が事業所から離れている時にも、アルコール検知器の使用により酒気帯びの有無の確認を行い、その結果を示すデータを事業所に送信させるのが望ましい。
【０００３】
車両の運転者の呼気中に含まれるアルコールに基づいて運転者の飲酒状態を検知する装置が提案されている（例えば、特許文献１参照）。特許文献１に開示されたアルコール検知システムは、吹き込み口から流れてくる呼気中のアルコールガス濃度を測定するアルコール濃度センサを備え、測定結果を表示し、被験者のデータをパソコン等に転送でき、パソコン等でデータの管理を行う。また、特許文献１に記載の技術では、ＩＤ入力装置に入力されるＩＤによって、運転者と異なる人物がアルコール濃度の測定を行う「なりすまし」を防止することが提案されている。
【０００４】
このような、特許文献１に記載されている技術では、他人のＩＤカード等を用いて測定が行われた場合、「なりすまし」を防止することができない。
このような「なりすまし」を防止するために、被測定者がアルコール濃度を測定されているときに撮影された被測定者の顔の画像と、アルコール濃度の測定前または測定後の所定の時間内に撮影された車両の運転者の顔の画像とに基づいて、被測定者と運転者との照合を行うこと提案されている(例えば、特許文献２参照）。
【先行技術文献】
【特許文献】
【０００５】
【特許文献１】特開２００４−２１２２１７号公報
【特許文献２】特開２００９−１６０９８８号公報
【発明の概要】
【発明が解決しようとする課題】
【０００６】
しかしながら、特許文献２に記載されている技術では、被験者がアルコール量を測定している最中に撮影する場合、被験者が、マウスピースを口にくわえて空気を吹き込む動作を行っているため、通常時の表情とは異なる表情となり、本人確認が行い難いという課題がある。
【０００７】
本発明は、上記の問題点に鑑みてなされたものであって、呼気に含まれるアルコール成分のガス濃度を被験者が中断することなく測定可能とするとともに、測定被験者の通常時の顔を撮影することによって本人確認を簡易にし、替え玉行為を防止することができる呼気成分測定システム、呼気成分測定装置、呼気成分測定方法、およびプログラムを提供することを目的とする。
【課題を解決するための手段】
【０００８】
上記目的を達成するため、本発明の一態様に係る呼気成分測定システムは、アルコール濃度を測定するセンサと、撮像装置と、前記撮像装置に撮像を行わせる操作部と、前記操作部が操作されてからの経過時間を計時する計時部と、前記計時部によって計時された時間が所定時間内にある場合に、前記センサが測定した測定データを有効とし、新たな画像データの取り込みを禁止し、前記計時された時間が前記所定時間内にない場合に、前記センサが測定した測定データを無効とし、新たな画像データの取り込みを有効とする測定制御部と、を備える。
【０００９】
また、本発明の一態様に係る呼気成分測定システムであって、前記所定時間は、前記操作部が操作されてから、被験者が当該呼気成分測定システムに息を吹き込むまでの時間であるようにしてもよい。
【００１０】
また、本発明の一態様に係る呼気成分測定システムであって、前記測定制御部は、前記操作部が操作されたことに応じて、前記所定時間内に複数回の撮像を行わせるようにしてもよい。
【００１１】
また、本発明の一態様に係る呼気成分測定システムは、前記撮像された画像データと測定データと被験者を識別する識別情報とが記憶される記憶部、を備え、前記測定制御部は、前記撮像された画像に基づいて被験者を認識し、前記認識した結果に基づいて、認識された被験者の過去の測定データを前記記憶部から読み出し、前記読み出した測定データに応じて前記所定時間を変更するようにしてもよい。
【００１２】
また、本発明の一態様に係る呼気成分測定システムであって、前記測定制御部は、前記計時された時間が前記所定時間内にない場合であっても、前記撮像された画像データを前記記憶部に記憶させるようにしてもよい。
【００１３】
また、本発明の一態様に係る呼気成分測定システムであって、前記測定制御部は、前記撮像された画像に基づいて被験者を認識し、前記認識した結果に基づいて、認識された被験者の過去の測定データを前記記憶部から読み出し、前記読み出した測定データに応じて前記所定時間に撮像する画像の枚数を変更するようにしてもよい。
【００１４】
上記目的を達成するため、本発明の一態様に係る呼気成分測定装置は、アルコール濃度を測定するセンサと、撮像装置と、前記撮像装置に撮像を行わせる操作部と、前記操作部が操作されてからの経過時間を計時する計時部と、前記計時部によって計時された時間が所定時間内にある場合に、前記センサが測定した測定データを有効とし、新たな画像データの取り込みを禁止し、前記計時された時間が前記所定時間内にない場合に、前記測定手順によって測定された測定データを無効とし、新たな画像データの取り込みを有効とする測定制御部と、を備える。
【００１５】
上記目的を達成するため、本発明の一態様に係る呼気成分測定方法は、センサが、アルコール濃度を測定する測定手順と、操作部が検出した結果に応じて、撮像装置に撮像を行わせる手順と、計時部が、前記操作部され撮像が行われてからの経過時間を計時する計時手順と、測定制御部が、前記計時手順によって計時された時間が所定時間内にある場合に、前記測定手順によって測定された測定データを有効とし、新たな画像データの取り込みを禁止し、前記計時された時間が前記所定時間内にない場合に、前記測定手順によって測定された測定データを無効とし、新たな画像データの取り込みを有効とする手順と、を含む。
【００１６】
上記目的を達成するため、本発明の一態様に係るプログラムは、呼気成分測定装置のコンピュータに、アルコール濃度の測定を指示する測定指示手順と、撮像を行う撮像装置に対して、撮像の許可を示す撮像指示または不許可を示す撮像禁止指示を出力する手順と、前記撮像が行われたことを示す情報を受信する受信手順と、前記情報を受信してからの経過時間を計時する計時手順と、前記計時手順によって計時された時間が所定時間内にあるか否かを判別する手順と、前記計時された時間が所定時間内にある場合に、前記測定手順によって測定された測定データを有効とし、新たな画像データの取り込みを禁止する撮像禁止指示を生成する手順と、前記計時された時間が前記所定時間内にない場合に、前記測定手順によって測定された測定データを無効とし、新たな画像データの取り込みを有効とする撮像指示を生成する手順と、を実行させる。
【発明の効果】
【００１７】
本発明によれば、呼気に含まれるアルコール濃度を被験者が中断することなく測定可能とするとともに、測定被験者の顔が通常時の際に、被験者の顔を撮影して本人確認を簡易にして替え玉行為（または、なりすまし行為）を防止することができる。
【図面の簡単な説明】
【００１８】
【図１】第１実施形態に係る呼気成分測定システムを示す概念図である。
【図２】第１実施形態に係る呼気成分測定装置の正面図および側面図である。
【図３】第１実施形態に係るマウスピースを説明する図である。
【図４】図３のマウスピースの断面を示す説明する図である。
【図５】第１実施形態による呼気成分測定装置の内部構成を示す概略図である。
【図６】第１実施形態に係る呼気成分測定装置の本体のブロック図である。
【図７】第１実施形態に係る情報処理端末の概略のブロック図である。
【図８】第１実施形態に係る撮像された画像の一例を説明する図である。
【図９】第１実施形態に係る呼気成分測定が行う処理手順を示すフローチャートである。
【図１０】第１実施形態に係る情報処理端末が行う処理手順を示すフローチャートである。
【図１１】第１実施形態に係る管理装置の記憶部に記憶される情報の一例を説明する図である。
【図１２】第２実施形態に係る呼気成分測定装置の本体のブロック図である。
【図１３】第２実施形態に係る呼気成分測定の処理手順を示すフローチャートである。
【発明を実施するための形態】
【００１９】
以下、図面を参照しながら本発明の実施形態について説明する。
【００２０】
［第１実施形態］
図１は、本実施形態に係る呼気成分測定システム１を示す概念図である。
なお、本実施形態では、呼気成分測定装置２の例として、アルコール検出装置の例を説明する。
【００２１】
まず、本実施形態の呼気成分測定システム１の概要について説明する。呼気成分測定システム１では、まず、呼気成分測定装置２で測定された呼気中のガス（アルコール）濃度の測定結果に基づいて運転の可否を判別する、情報処理端末４０にインストールされたアプリケーションが起動される。次に、本実施形態の呼気成分測定システム１は、測定を開始する前に、被験者の顔を含む領域の画像が撮像され、撮像後の所定時間内に、マウスピース３０に被験者が呼気を吹き込んだことを検知する。そして、本実施形態の呼気成分測定システム１は、呼気中のガス（アルコール）濃度を測定し、測定した結果に基づいて運転の可否を判別する。
【００２２】
図１に示すように、本実施形態の呼気成分測定システム１では、呼気成分測定装置２と、情報処理端末４０とが、通信ケーブル６０を介して接続される。なお、呼気成分測定装置２と、情報処理端末４０との接続は、無線接続であってもよい。
また、情報処理端末４０には、通信ケーブル７０を介して撮像装置５０が接続される。情報処理端末４０と撮像装置５０との接続も、無線接続であってもよい。
さらに、情報処理端末４０と管理装置８０とは、無線回線を介して接続されるが、有線回線であってもよい。
【００２３】
呼気成分測定装置２は、被験者の呼気に含まれる検知対象ガス成分であるアルコールガス濃度を測定する装置であり、本体１０とマウスピース３０とから構成される。呼気成分測定装置２は、撮像に関するタイミング信号を、通信ケーブル６０を介して情報処理端末４０から受信する。ここで、撮像に関するタイミング信号は、情報処理端末４０が撮像を終了したときに情報処理端末４０が送信する信号である。呼気成分測定装置２は、タイミング信号を受信してから所定期間内に行われた測定の結果を、自装置に記憶させ、さらに自装置の表示部に表示させる。また、呼気成分測定装置２は、測定結果を、通信ケーブル６０を介して情報処理端末４０に送信する。
また、呼気成分測定装置２は、ガスセンサ１５および制御部１００を有する。ガスセンサ１５および制御部１００については、後述する。
【００２４】
撮像装置５０は、例えばデジタルカメラ、ＣＣＤ（電荷結合素子；Ｃｈａｒｇｅ  Ｃｏｕｐｌｅｄ  Ｄｅｖｉｃｅ）センサ等である。撮像装置５０は、情報処理端末４０の制御によって撮像した画像を、通信ケーブル７０を介して情報処理端末４０に送信する。
情報処理端末４０は、後述する情報処理端末４０が有するアプリケーションのプログラムに応じて、撮像装置５０を制御して被験者の顔を含む領域を撮像させる。情報処理端末４０は、撮像終了後にタイミング信号を、通信ケーブル６０を介して呼気成分測定装置２に送信する。また、情報処理端末４０は、呼気成分測定装置２が送信した測定結果を、通信ケーブル６０を介して受信する。情報処理端末４０は、受信した測定結果を、自端末内に撮像装置によって撮像された画像と関連づけて記憶させる。なお、情報処理端末４０がタイミング信号を送信するタイミングは、撮像を行うときであってもよい。
また、情報処理端末４０は、例えば携帯端末、スマートフォン、タブレット端末、ＰＣ（パーソナルコンピュータ）であってもよい。また、撮像装置５０は、情報処理端末４０が備えていてもよい。
【００２５】
管理装置８０は、管理者が管理する装置であり、例えばサーバである。管理装置８０は、記憶部８１を備える。管理装置８０は、情報処理端末４０から送信された測定結果（測定データ）および撮像された画像の画像データを受信し、受信した情報を記憶部８１に記憶させる。
記憶部８１には、測定結果および撮像された画像を含む情報が記憶される。
【００２６】
図２は、本実施形態に係る呼気成分測定装置２の本体１０の正面図および側面図である。図２（Ａ）は、本実施形態に係る呼気成分測定装置２の本体１０を示す正面図であり、同図（Ｂ）は、その側面図である。
図２（Ａ）および図２（Ｂ）に示すように、本体１０は、報知部１１、電源スイッチ１２、操作入力部１３、取付部１４、及び送受信部２５を備えている。
【００２７】
報知部１１には、呼気中のガス（アルコール）濃度を測定するガスセンサの検出結果に基づいて呼気に含まれる検知対象ガス成分の測定結果等が表示される。報知部１１は、例えばＬＣＤ（Ｌｉｑｕｉｄ  Ｃｒｙｓｔａｌ  Ｄｉｓｐｌａｙ）である表示部、音声出力部、振動出力部のうち、すくなくとも１つを有する。
電源スイッチ１２は、被験者の操作を検出し、検出した結果を後述する制御部１００（図５、図６）に出力する。被験者は、この電源スイッチ１２を操作することで、呼気成分測定装置２の電源をオン状態またはオフ状態に切り替えることができる。
【００２８】
操作入力部１３は、呼気成分測定装置２を操作するための入力装置であり、例えば複数の操作ボタン、タッチパネル、ジョグダイヤル等のユーザインタフェースを含む。
取付部１４は、被験者が呼気を吹き込むためのマウスピース３０を取り付ける箇所である。取付部１４は、マウスピース３０と係合する係合片１９、および呼気を本体１０の内部に流入させる導入孔が設けられた突起部２１を含んで構成される。係合片１９が、呼気成分測定装置２の本体１０とマウスピース３０とを連結している。取付部１４には、マウスピース３０が着脱自在に取り付けられる。
【００２９】
送受信部２５は、通信ケーブル６０が接続される接続端子を含み、通信ケーブル６０を介して情報処理端末４０と接続されるインタフェースである。また、送受信部２５は、外部から電力が供給される電源コードが接続されるための電源入力端子を兼ねていてもよい。
【００３０】
図３は、本実施形態に係るマウスピース３０を説明する図である。図３（Ａ）は、マウスピース３０の上面図であり、図３（Ｂ）は、その正面図であり、図３（Ｃ）は、その側面図であり、図３（Ｄ）は、その背面図であり、図３（Ｅ）は、その底面図である。
また、図４は、図３のマウスピース３０の断面を示す説明する図である。図４（Ａ）は、図３（Ａ）におけるＡ−Ａ断面図であり、図４（Ｂ）は、図３（Ｃ）におけるＢ−Ｂ断面図であり、図４（Ｃ）は、図３（Ｃ）におけるＣ−Ｃ断面図である。
【００３１】
図３および図４に示すように、マウスピース３０は、筒状の形状を有している。また、マウスピース３０は、被験者が呼気を吹き込むための吹込口３１と、呼気が排出される排出口３２と、吹込口３１と排出口３２と間に形成され、吹込口３１から吹き込まれた呼気を通過させる呼気流路３３とを有している。
呼気流路３３には、呼気成分測定装置２の本体１０に取付けられた際、本体１０の突起部２１が嵌められる貫通孔３４と、排出口３２側に設けられ、呼気流路３３を通過する呼気の流れを分離して音響を発生させる仕切壁３６とが形成されている。貫通孔３４が突起部２１に嵌められることにより、呼気流路３３と突起部２１に形成された導入孔２１ａが連通される。吹込口３１から空気が流入すると、マウスピース３０は、例えばホイッスルと同様に音を発する。
【００３２】
また、マウスピース３０の外側部には、本体１０に取付けられた際、係合片１９と係合される係合孔３７が形成されている。マウスピース３０が取付部１４に取り付けられたときに、本体１０の係合片１９がマウスピース３０の係合孔３７に嵌められ、マウスピース３０は、取付部１４に安定的に支持される。
【００３３】
図５は、本実施形態による呼気成分測定装置２の内部構成を示す概略図である。
図５に示すように、呼気成分測定装置２は、流路２２、ガスセンサ１５、ガスセンサ室１５ａ、流路２３、流路２４、圧力センサ１６、エアバレル１７、ソレノイド１８、および制御部１００を含んでいる。
【００３４】
呼気成分測定装置２の本体１０内部における呼気は、流路２２によって、突起部２１に設けられた導入孔から吹き込まれた呼気がガスセンサ室１５ａに導かれ、流路２３によって、ガスセンサ室１５ａからエアバレル１７に導かれ、流路２４によって、エアバレル１７から圧力センサ１６に導かれる。
なお、ガスセンサ室１５ａも流路の一部であり、ガスセンサ１５はガスセンサ室１５ａの内部に配置されている。
【００３５】
ガスセンサ１５は、呼気流路３３（図４（Ａ））に吹き込まれた呼気のアルコール濃度を測定し、測定したアルコール濃度を電気信号に変換して制御部１００に出力する。ガスセンサ１５は、感ガス体を備え、ガスセンサ室１５ａの内部に収納され、呼気中のガスを検知する。なお、呼気流路に吹き込まれた呼気の少なくとも一部が感ガス体に接触する。本実施形態では、アルコールに触れると電流が流れる感ガス体を有し、流れた電流の値によって気体中のアルコール濃度を検知する電気化学式センサをガスセンサ１５として用いる。この電気化学式センサとしては、例えば、アノード（ａｎｏｄｅ）およびカソード（ｃａｔｈｏｄｅ）としてＰｔ（白金）又はＰｔ合金を用いるとともに、電解質として硫酸（Ｈ２Ｓ０４）を用い、アルコール分子が白金触媒に酸化されたときに生じる電流の変化を測定するようにしてもよい。
なお、ガスセンサ１５は、呼気に含まれるアルコール濃度を検知できればよく、例えば、金属酸化物に吸着させた酸素と、気体中のアルコールとの反応により変化する電気抵抗によって気体中のアルコール濃度を検知する半導体センサなど、様々な方式のアルコールセンサであってもよい。
【００３６】
圧力センサ１６は、本体１０内部に吹き込まれた呼気の圧力を検知し、検知した圧力を電気信号に変換して制御部１００に出力する。本実施形態では、例えば、ダイヤフラムの表面に半導体ひずみゲージを形成し、外部からの力（圧力）によってダイヤフラムが変形して発生するピエゾ抵抗効果による電気抵抗の変化を電気信号に変換する半導体ピエゾ抵抗拡散圧力センサを、圧力センサ１６として用いる。
【００３７】
エアバレル１７は、呼気を内部に蓄積する膨張収縮可能な容器であり、ソレノイド１８によって膨張収縮される。
ソレノイド１８は、制御部１００の制御に応じて、エアバレル１７を収縮させて、エアバレル１７内部の呼気をガスセンサ１５に導く。
【００３８】
図６は、本実施形態に係る呼気成分測定装置２の本体１０のブロック図である。
図６に示すように、呼気成分測定装置２の本体１０は、報知部１１、操作入力部１３、ガスセンサ１５、圧力センサ１６、エアバレル１７、ソレノイド１８、送受信部２５、記憶部２８、タイマー部２９、および制御部１００を備えている。
【００３９】
記憶部２８には、制御部１００が各種の処理を実行するプログラムが記憶されている。また、記憶部２８には、ガスセンサ１５による測定開始を決定する圧力センサ１６に対するしきい値や、運転可否を決定するアルコール濃度に対するしきい値や、測定結果等の情報が記憶される。
【００４０】
タイマー部２９は、制御部１００の制御に応じて、カウントを開始し、カウントしたカウント値を制御部１００に出力する。
【００４１】
制御部１００は、呼気流入判断部１０１、動作制御部１０２、アルコール濃度測定部１０３、判定部１０４、および報知情報生成部１０５を備える。制御部１００は、呼気成分の測定を制御するとともに、電源スイッチ１２や操作入力部１３等からの入力や、報知部１１の出力等、呼気成分測定装置２の全体を制御し、測定結果を記憶部２８に記憶させる。
【００４２】
呼気流入判断部１０１は、タイマー部２９から入力されるカウント値が第１時間未満の間に、呼気の流入が開始されたか否かを判別する。第１時間を示す情報は、予め記憶部２８に記憶され、例えば約１秒から約５秒間である。なお、呼気流入判断部１０１は、被験者から呼気が吹き込まれ、圧力センサ１６によって記憶部２８に記憶されるしきい値を超える圧力が検出されると、呼気の流入開始であると判断する。呼気流入判断部１０１は、カウント値が第１時間未満の間に、呼気の流入が開始された場合、呼気の流入開始を示す呼気流入開始情報を動作制御部１０２に出力する。
また、呼気流入判断部１０１は、第１時間未満の間に、呼気の流入が開始されなかった場合、警告を報知する警告報知指示を動作制御部１０２に出力する。
なお、呼気の流入開始の判断は、動作制御部１０２が行うようにしてもよい。
【００４３】
また、呼気流入判断部１０１は、呼気が流入開始された後、第２時間（例えば約５秒間）をカウントしつつ、この第２時間内の圧力を継続して検知する。なお、第２時間を示す情報は、記憶部２８に予め記憶されている。呼気流入判断部１０１は、第２時間、所定の圧力が継続して検知された場合、しきい値を超える圧力が第２時間継続して得られたことを示す呼気継続情報を動作制御部１０２およびアルコール濃度測定部１０３に出力する。
【００４４】
動作制御部１０２は、呼気成分測定装置２のガスセンサ１５、圧力センサ１６、ソレノイド１８を駆動させる。動作制御部１０２は、呼気流入判断部１０１から入力される呼気流入開始情報に応じてソレノイド１８を駆動させて、エアバレル１７内の呼気をガスセンサ室１５ａに押し戻すように制御する。なお、動作制御部１０２は、呼気流入判断部１０１から呼気継続情報が入力されるまで継続する。このように動作制御部１０２がソレノイド１８を制御することによって、一定の圧力を越える呼気が継続するので、アルコール濃度測定に必要な量の空気がエアバレル１７内に得られる。なお、被験者は、アルコール測定結果を得るためには、深く息を吸って長い時間呼気を出し続ける必要がある。
また、動作制御部１０２は、呼気流入判断部１０１から呼気継続情報が入力されたとき、ガスセンサ１５を駆動させてアルコール濃度を検知させるように制御する。
【００４５】
また、動作制御部１０２は、情報処理端末４０から通信ケーブル６０を介してタイミング信号を受信したとき、タイマー部２９にカウントを開始させる。動作制御部１０２は、タイマー部２９がカウントするカウント値に基づいて、第１所定時間の残り時間を算出する。そして、動作制御部１０２は、残り時間があるときに呼気流入判断部１０１から呼気流入開始情報が入力された場合、第１時間未満に流入が開始されたと判別する。また、動作制御部１０２は、残り時間があるときに呼気流入判断部１０１から呼気流入開始情報が入力されなかった場合、第１時間未満に流入が開始されなかったと判別し、撮像後の所定時間内に呼気が開始されなかったことを示す警告報知を行う指示を報知情報生成部１０５に出力する。
【００４６】
アルコール濃度測定部１０３は、呼気流入判断部１０１から入力される呼気継続情報に応じて、エアバレル１７内の空気がガスセンサ１５に送り出された際に検出された検出結果に基づいて、呼気に含まれる検知対象ガス成分であるアルコール濃度を算出する。なお、アルコール濃度測定部１０３による「アルコール濃度の測定の開始」は、ガスセンサ１５の出力を取得して、アルコール濃度の算出を開始するときである。ただし、アルコール濃度測定部１０３は、呼気流入判断部１０１から呼気継続情報が入力される場合、すなわち、圧力センサ１６で測定される圧力レベルが所定期間継続的に所定の圧力を越える場合、ガスセンサ１５を駆動し、他の場合にガスセンサ１５を駆動しなくてもよい。この場合、「アルコール濃度の測定の開始」は、ガスセンサ１５が出力を開始するときである。
また、アルコール濃度測定部１０３は、呼気流入判断部１０１から入力される呼気継続情報を報知情報生成部１０５に出力する。なお、呼気継続情報は、呼気流入判断部１０１が直接、報知情報生成部１０５に出力するようにしてもよい。
【００４７】
判定部１０４は、アルコール濃度測定部１０３によって算出された呼気中のアルコール濃度と、記憶部２８に記憶されているしきい値とを比較する。そして、判定部１０４は、算出されたアルコール濃度がしきい値以下である場合、運転可能であると判定し、算出されたアルコール濃度がしきい値より高い場合、運転不可能であると判定する。判定部１０４は、判断した結果を示す判定情報を報知情報生成部１０５に出力する。
【００４８】
報知情報生成部１０５は、判定部１０４から入力された判定情報に基づいて表示情報を生成し、生成した表示情報を報知部１１に表示させる。また、報知情報生成部１０５は、電源スイッチ１２（図２）によって電源がオン状態にされたことが検出された後、息の吹き込み開始のメッセージを示す情報を生成する。また、報知情報生成部１０５は、アルコール濃度測定部１０３から入力された呼気継続情報に基づいて、息の吹き込み終了のメッセージを示す情報を生成する。また、報知情報生成部１０５は、操作ガイドの情報を適時生成する。報知情報生成部１０５は、生成した各種の表示情報を報知部１１に表示させる。
【００４９】
また、報知情報生成部１０５は、動作制御部１０２から警告報知を行う指示が入力された場合、入力された警告報知を行う指示に応じて、例えば所定時間内に測定装置に呼気が送り込まれなかったことを表すメッセージを生成する。
なお、報知情報生成部１０５は、判定部１０４から入力された情報が運転不可能を示す場合、運転不可能を示す報知音または振動を報知部１１から出力させるようにしてもよい。
【００５０】
次に、情報処理端末４０について説明する。
図７は、本実施形態に係る情報処理端末４０の概略のブロック図である。
図７に示すように、情報処理端末４０は、通信Ｉ／Ｆ４１、操作入力部４２、シャッターボタン４３、送受信部４４、表示部４５、記憶部４６、およびアプリケーション実行部４７を備えている。また、情報処理端末４０は、通信ケーブル７０を介して撮像装置５０と接続される。なお、撮像装置５０は、情報処理端末４０が備えるようにしてもよい。また、情報処理端末４０は、送受信部４４と通信ケーブル６０とを介して呼気成分測定装置２と接続される。
【００５１】
通信Ｉ／Ｆ４１は、アプリケーション実行部４７の制御に応じて、無線通信または有線通信によって、携帯電話通信網またはＩＰ網等の通信ネットワークを通じて、各種データを送受信する。
【００５２】
操作入力部４２は、利用者（被験者）によって操作された結果を検出し、検出した検出結果を、アプリケーション実行部４７に出力する。操作入力部４２は、操作ボタンやタッチパネル、ジョグダイヤルなどユーザー操作を入力するデバイスを含む。
シャッターボタン４３は、撮像装置５０に撮像を行わせるボタンであり、被験者によってシャッターボタン４３が押されたことが検出されたとき、撮像を指示する撮像指示信号を撮像装置５０に出力する。なお、操作入力部４２が、シャッターボタン４３を備えていてもよい。また、操作入力部４２が、表示部４５上に設けられているタッチパネルセンサの場合、シャッターボタン４３は、表示部４５に表示されるシャッターボタンのアイコンであってもよい。
【００５３】
撮像装置５０は、シャッターボタン４３から入力される撮像指示信号に応じて、被験者の顔を含む領域の画像を撮像し、撮像した画像を、通信ケーブル７０を介して情報処理端末４０に送信する。
送受信部４４は、アプリケーション実行部４７から入力されるタイミング信号を、通信ケーブル６０を介して、呼気成分測定装置２に送信する。また、送受信部４４は、通信ケーブル６０を介して、呼気成分測定装置２から送信される測定結果を示す情報を受信する。
【００５４】
表示部４５は、アプリケーション実行部４７に応じた画像を表示する。例えば、液晶表示装置、有機ＥＬ（Ｅｌｅｃｔｒｏ−Ｌｕｍｉｎｅｓｃｅｎｃｅ；エレクトロルミネッセンス）表示装置等である。
【００５５】
記憶部４６には、ＯＳ（Ｏｐｅｒａｔｉｎｇ  Ｓｙｓｔｅｍ；オペレーティングシステム）、各種のアプリケーションのプログラム（以下、アプリケーションという）が記憶される。また、記憶部４６には、被験者の氏名、電話番号、および利用している車両番号等の個人情報が関連付けて記憶されている。被験者の個人情報は、被験者を識別する識別情報ＩＤと関連付けられており、測定時に例えば被験者がＩＤおよびパスワードを入力したり、ＩＣカード等の識別情報ＩＤが記録された記録媒体を読み取ったりすることで、被験者を認識するようにしてもよい。
【００５６】
アプリケーション実行部４７は、記憶部４６に記憶されているＯＳに基づいて、情報処理端末４０の動作を制御する。また、アプリケーション実行部４７は、記憶部４６に記憶されているアプリケーションに応じて、情報処理端末４０の動作を制御する。アプリケーション実行部４７は、シャッターボタン４３から入力された撮像指示に基づいてタイミング信号を生成し、生成したタイミング信号を、通信ケーブル６０および送受信部４４を介して呼気成分測定装置２に送信する。アプリケーション実行部４７は、呼気成分測定装置２から送信された測定結果を、通信ケーブル６０および送受信部４４を介して受信する。
【００５７】
また、アプリケーション実行部４７は、受信した測定結果と、撮像された画像と、記憶部４６に記憶されている個人情報とを関連づけて、被験者測定情報を生成する。アプリケーション実行部４７は、生成した被験者測定情報を、通信Ｉ／Ｆ４１を制御し、無線通信網を介して、管理者が使用する管理装置８０等に送信する。なお、アプリケーション実行部４７は、被験者測定情報を記憶部４６に記憶させるようにしてもよい。
【００５８】
なお、情報処理端末４０に、呼気に含まれるアルコール濃度の検知を行うアプリケーションが予めインストールされていてもよく、または、通信Ｉ／Ｆ４１および無線通信網を介して、アプリケーションを取得して、取得されたアプリケーションがインストールされるようにしてもよい。
【００５９】
なお、アプリケーション実行部４７は、アプリケーションが起動されたのち、予め定められている時刻が経過したとき、撮像指示を、通信ケーブル７０を介して撮像装置５０に送信するようにしてもよい。
【００６０】
ここで、撮像装置５０によって撮像される画像について説明する。
図８は、本実施形態に係る撮像された画像２０１の一例を説明する図である。図８に示すように、撮像される画像２０１には、被験者の画像および呼気成分測定装置２の画像２１１を含む。この理由は、撮像後、第１時間未満にマウスピース３０に息の吹き込みを開始する必要があるため、被験者は撮像された時点で、マウスピース３０を口の中にいれているか、口元に持って行こうとしている可能性が高いためである。なお、撮像装置５０は、撮像指示に応じて、第１時間内に、複数の静止画を撮像するようにしてもよい。例えば、第１時間が５秒間の場合、撮像装置５０は、１秒ごとに撮像するようにしてもよい。このように、測定直前にマウスピース３０を口に含んでいる、またはマウスピース３０が口元にある画像を撮影することで、替え玉行為を防ぐことができる。
すなわち、撮像が行われた後、被験者が仮に他の人に呼気成分測定装置２を渡して測定を継続しようとしても、第１時間未満に息の吹き込みを開始できていないため、測定が行われない。このように、第１時間は、撮影後、被験者が他の人に呼気成分測定装置２を渡した場合に、他の人が息の吹き込みを始めらない時間である。
【００６１】
次に、呼気成分測定システム１が行う処理手順の一例を説明する。
まず、呼気成分測定装置２が行う処理手順を説明する。
図９は、本実施形態に係る呼気成分測定の処理手順を示すフローチャートである。
【００６２】
（ステップＳ１０１）電源スイッチ１２は、被験者によって電源スイッチ１２の押下が行われたことを検出する。次に、制御部１００は、電源がオン状態になったこと示す情報を、送受信部２５および通信ケーブル６０を介して、情報処理端末４０に送信する。制御部１００は、処理をステップＳ１０２に進める。
（ステップＳ１０２）制御部１００は、記憶部２８に記憶されている呼気成分測定プログラムを起動させる。制御部１００は、撮像禁止の解除指示を、送受信部２５および通信ケーブル６０を介して、情報処理端末４０に送信する。制御部１００は、処理をステップＳ１０３に進める。
【００６３】
（ステップＳ１０３）制御部１００は、情報処理端末４０から、通信ケーブル６０および送受信部２５を介して、タイミング信号を受信する。制御部１００は、処理をステップＳ１０４に進める。
（ステップＳ１０４）制御部１００は、タイマー部２９のカウントを開始させる。制御部１００は、処理をステップＳ１０５に進める。なお、ステップＳ１０４をステップＳ１０３の前に行ってもよい。
【００６４】
（ステップＳ１０５）報知情報生成部１０５は、息の吹き込みの開始を促す表示情報を生成し、生成した表示情報を報知部１１上に表示させる。報知部１１上には、例えば「５秒以内に吹き込みを開始してください」と表示される。制御部１００は、処理をステップＳ１０６に進める。
【００６５】
（ステップＳ１０６）動作制御部１０２は、タイマー部２９のカウント値に基づいて、第１時間の残り時間を算出する。次に、報知情報生成部１０５は、算出された残り時間を報知部１１上に表示させる表示情報を生成し、残り時間を示す表示と吹き込みを促す表示と合わせて報知部１１上に表示させる。報知部１１上には、例えば「残り時間は３秒です。すぐに吹き込みを開始してください」と表示される。制御部１００は、処理をステップＳ１０７に進める。
【００６６】
（ステップＳ１０７）動作制御部１０２は、タイマー部２９のカウント値を用いて、第１時間の残り時間が有るか否かを判別する。動作制御部１０２は、第１時間の残り時間が有ると判別された場合（ステップＳ１０７；ＹＥＳ）、ステップＳ１０９に進み、第１時間の残り時間が無いと判別された場合（ステップＳ１０７；ＮＯ）、ステップＳ１０８に進む。
【００６７】
（ステップＳ１０８）動作制御部１０２は、第１時間内に吹き込みが開始されなかったことを示す情報を報知情報生成部１０５に出力する。次に、報知情報生成部１０５は、動作制御部１０２から入力された第１時間内に吹き込みが開始されなかったことを示す情報に応じて、再度、撮影からやり直すことを促す表示情報を生成し、生成した表示情報を報知部１１上に表示させる。報知部１１上には、例えば、「撮影後、決められている時間内に吹き込みが開始させませんでした。再度、撮影からやり直してください」と表示される。表示後、制御部１００は、処理をステップＳ１０３に戻す。
【００６８】
（ステップＳ１０９）呼気流入判断部１０１は、圧力センサ１６の測定結果に基づいて算出した圧力値が、記憶部２８に記憶されているしきい値を超えたか否かを判別することで、息の吹き込みが開始されたか否かを判断する。呼気流入判断部１０１は、圧力値がしきい値以下であると判断した場合（ステップＳ１０９；ＮＯ）、ステップＳ１０５に戻し、圧力値がしきい値を超えていると判断した場合（ステップＳ１０９；ＹＥＳ）、ステップＳ１１０に進む。
【００６９】
（ステップＳ１１０）第１時間内に吹き込みが開始されため、動作制御部１０２は、これ以後に測定される測定結果を有効なデータとする。次に、動作制御部１０２は、測定中および測定後の撮像を禁止し、新たな画像データを取得することを禁止する指示を、送受信部２５および通信ケーブル６０を介して情報処理端末４０に送信する。動作制御部１０２は、処理をステップＳ１１１に進める。
【００７０】
（ステップＳ１１１）動作制御部１０２は、第２時間になるまで、例えばカウントダウンを行っていることを表す画像を表示させる指示を、報知情報生成部１０５に出力する。次に、報知情報生成部１０５は、動作制御部１０２から入力された指示に応じて、吹き込みを継続することを促す表示画像と表示情報カウントダウンを行っていることを表す画像を生成し、生成した表示情報を報知部１１上に表示させる。カウントダウンを表す画像は、残り時間の表示画像であってもよく、バーグラフにおいてバーが減っていくまたは増えていく画像、または円グラフにおいて白または黒の領域が減っていくまたは増えていく画像等であってもよい。報知部１１上には、カウントダウンを表す画像に伴って「吹き込みを継続してください」と表示される。動作制御部１０２は、処理をステップＳ１１２に進める。
【００７１】
（ステップＳ１１２）制御部１００は、タイマー部２９のカウントをリセット後、再度カウントを開始させる。動作制御部１０２は、タイマー部２９のカウント値を用いて、第２時間の残り時間が有るか否かを判別する。動作制御部１０２は、第２時間の残り時間が有ると判別された場合（ステップＳ１１２；ＹＥＳ）、ステップＳ１１３に進み、第２時間の残り時間が無いと判別された場合（ステップＳ１１２；ＮＯ）、ステップＳ１１５に進む。
【００７２】
（ステップＳ１１３）呼気流入判断部１０１は、圧力センサ１６の測定結果に基づいて算出した圧力値が、記憶部２８に記憶されているしきい値を超えたか否かを判別することで、息の吹き込みが継続されているか否かを判断する。呼気流入判断部１０１は、圧力値がしきい値を超えていると判断された場合（ステップＳ１１３；ＹＥＳ）、ステップＳ１１４に進み、圧力値がしきい値未満であると判断された場合（ステップＳ１１３；ＮＯ）、ステップＳ１０８に進む。
【００７３】
（ステップＳ１１４）報知情報生成部１０５は、吹き込みを継続することを促す表示画像と表示情報カウントダウンを行っていることを表す画像を生成し、生成した表示情報を報知部１１上に表示させる。報知情報生成部１０５は、処理をステップＳ１１２に戻す。
【００７４】
（ステップＳ１１５）継続して圧力値がしきい値以上の期間が第２時間継続したため、呼気流入判断部１０１は、圧力の検知を終了する。次に、動作制御部１０２は、ソレノイド１８を駆動させて、エアバレル１７内の空気をガスセンサ１５側に送り出すように制御する。次に、動作制御部１０２は、吹き込みの終了を表す画像を表示させる指示を、報知情報生成部１０５に出力する。次に、報知情報生成部１０５は、動作制御部１０２から入力された指示に応じて、吹き込みを終了させることを促す表示画像を生成し、生成した表示情報を報知部１１上に表示させる。動作制御部１０２は、処理をステップＳ１１６に進める。
【００７５】
（ステップＳ１１６）アルコール濃度測定部１０３は、エアバレル１７内の空気が、ガスセンサ１５に送り出された際に検出された検出結果に基づいて呼気に含まれるアルコール濃度を算出する。アルコール濃度測定部１０３は、処理をステップＳ１１７に進める。
（ステップＳ１１７）判定部１０４は、算出したアルコール濃度が記憶部２８に記憶されているしきい値を超えているか否かを判別する。アルコール濃度測定部１０３は、アルコール濃度がしきい値を超えていると判別した場合（ステップＳ１１７；ＹＥＳ）、ステップＳ１１８に進み、アルコール濃度がしきい値を超えていないと判別した場合（ステップＳ１１７；ＮＯ）、ステップＳ１１９に進む。
【００７６】
（ステップＳ１１８）判定部１０４は、運転不可能であると判定し、運転不可能を表す画像を表示させる指示を、報知情報生成部１０５に出力する。次に、報知情報生成部１０５は、動作制御部１０２から入力された指示に応じて、運転不可情報の表示画像を生成し、生成した運転不可情報を報知部１１上に表示させる。判定部１０４は、処理をステップＳ１２０に進める。
【００７７】
（ステップＳ１１９）判定部１０４は、運転可能であると判定し、運転可能を表す画像を表示させる指示を、報知情報生成部１０５に出力する。次に、報知情報生成部１０５は、動作制御部１０２から入力された指示に応じて、運転可能情報の表示画像を生成し、生成した運転可能情報を報知部１１上に表示させる。判定部１０４は、処理をステップＳ１２０に進める。
【００７８】
（ステップＳ１２０）動作制御部１０２は、ステップＳ１１８またはＳ１１９で得られた測定結果を、送受信部２５及び通信ケーブル６０を介して、情報処理端末４０に送信する。
なお、制御部１００は、測定結果を送信後、所定の時間後に、自装置を自動的に電源オフ状態になるように制御するようにしてもよい。
以上で、呼気成分測定装置２が行う処理を終了する。
【００７９】
次に、情報処理端末４０が行う処理手順の一例を説明する。
図１０は、本実施形態に係る情報処理端末４０が行う処理手順を示すフローチャートである。
【００８０】
（ステップＳ２０１）アプリケーション実行部４７は、アプリケーションを起動する。なお、呼気成分測定装置２において呼気成分測定プログラムが起動されたとき、制御部１００は、アプリケーションが起動されたことを示す情報を、送受信部２５および通信ケーブル６０を介して情報処理端末４０に送信するようにしてもよい。この場合、アプリケーション実行部４７は、受信した情報に応じて、アプリケーションを起動するようにしてもよい。アプリケーション実行部４７は、処理をステップＳ２０２に進める。
【００８１】
（ステップＳ２０２）アプリケーション実行部４７は、呼気成分測定装置２から撮像禁止指示を受信したか否かを判別する。アプリケーション実行部４７は、撮像禁止指示を受信したと判別した場合（ステップＳ２０２；ＹＥＳ）、撮像禁止が解除されるまで、ステップＳ２０２を繰り返す。また、アプリケーション実行部４７は、撮像禁止指示を受信していないと判別した場合（ステップＳ２０２；ＮＯ）、ステップＳ２０３に進む。なお、アプリケーション実行部４７は、例えば、撮像装置５０が送信した画像データを受信しないことで撮像を禁止してもよく、または、撮像装置５０が送信した画像データを受信しても記憶部４６に記憶しないことで撮像を禁止してもよく、あるいは、シャッターボタン４３が押されても撮像指示を受け付けないことで撮像を禁止してもよい。
【００８２】
（ステップＳ２０３）撮像装置５０は、シャッターボタン４３から入力される撮像指示信号に応じて、被験者の顔を含む領域の画像を撮像し、撮像した画像を、通信ケーブル７０を介して情報処理端末４０に送信する。アプリケーション実行部４７は、処理をステップＳ２０４に進める。
（ステップＳ２０４）アプリケーション実行部４７は、シャッターボタン４３から入力された撮像指示に基づいてタイミング信号を生成し、生成したタイミング信号を、通信ケーブル６０および送受信部４４を介して呼気成分測定装置２に送信する。アプリケーション実行部４７は、処理をステップＳ２０５に進める。
【００８３】
（ステップＳ２０５）アプリケーション実行部４７は、呼気成分測定装置２から送信された測定結果を、通信ケーブル６０および送受信部４４を介して受信する。アプリケーション実行部４７は、処理をステップＳ２０６に進める。
（ステップＳ２０６）アプリケーション実行部４７は、受信した測定結果と、撮像された画像と、記憶部４６に記憶されている個人情報とを関連づけて、被験者測定情報を生成する。アプリケーション実行部４７は、生成した被験者測定情報を、記憶部４６に記憶させる。または、アプリケーション実行部４７は、通信Ｉ／Ｆ４１を制御し、無線通信網を介して、生成した被験者測定情報を管理装置８０等に送信する。
以上で、情報処理端末４０が行う処理を終了する。
【００８４】
上述したように、本実施形態の呼気成分測定システム１は、シャッターボタン４３が押されたとき、呼気成分測定装置２がカウントを開始し、呼気成分測定システム１は、所定時間（第１時間）内に息の吹き込みが検知できた場合、そのデータを有効なデータとする。このように、データが有効な場合、呼気成分測定システム１は、測定中および測定後の撮像を禁止し、新たな画像データを取得することを禁止する。
一方、所定時間（第１時間）内に息の吹き込みが検知できない場合、そのデータを無効なデータとする。このように、データが無効な場合、呼気成分測定システム１は、再度、撮像を行って新たな画像データを取得し、測定をやり直す。
【００８５】
図１１は、本実施形態に係る管理装置８０の記憶部８１に記憶される情報の一例を説明する図である。なお、図１１に示す例は、情報処理端末４０が、例えば送受信部２５を介して取得した情報処理端末４０の付近にある基地局の位置を、測定が行われた位置（緯度、経度）としている。情報処理端末４０または呼気成分測定装置２がＧＰＳ（Ｇｌｏｂａｌ  Ｐｏｓｉｔｉｏｎｉｎｇ  Ｓｙｓｔｅｍ；グローバル・ポジショニング・システム）を備えている場合、このＧＰＳが測位した情報を測定が行われた位置としてもよい。
【００８６】
図１１に示すように、記憶部８１には、一例として、判定結果（ＯＫまたはＮＧ）、測定値［ｍｇ／Ｌ］、機器に関する情報（例えば機種名、シリアル番号）、撮影日時、車番、乗員ＩＤ、乗員者名、電子メールアドレス、写真ファイル名、緯度、経度が関連づけられて記憶されるが、これらに限られるものではないし、また、これらすべてを記憶する必要もない。
【００８７】
以上のように、本実施形態の呼気成分測定システム１は、アルコール濃度を測定するセンサ（例えばガスセンサ１５）と、撮像装置（例えば撮像装置５０）と、撮像装置に撮像を行わせる操作部（例えばシャッターボタン４３、操作入力部４２、操作入力部１３）と、操作部が操作されてからの経過時間を計時する計時部（例えばタイマー部２９）と、計時部によって計時された時間が所定時間（例えば第１時間）内にある場合に、センサが測定した測定データを有効とし、新たな画像データの取り込みを禁止し、計時された時間が所定時間内にない場合に、センサが測定した測定データを無効とし、新たな画像データの取り込みを有効とする測定制御部（例えば制御部１００、アプリケーション実行部４７）と、を備える。
【００８８】
この構成によって、本実施形態の呼気成分測定システム１では、アルコール濃度を検出する前、被験者がマウスピース３０を口に入れた、またはマウスピース３０が口元の付近にあるときに被験者の顔を含む領域の画像の撮像を行う。そして、本実施形態の呼気成分測定システム１では、撮像が終了した後、所定の時間（第１時間）内に、マウスピース３０に息を吹き込むことを促す。これにより、本実施形態の呼気成分測定システム１によれば、仮に、撮像後に被験者が入れ替わろうとしても、マウスピース３０に息の吹き込みを始めるタイミングが遅くなるため、再度、撮像からやり直す。また、本実施形態の呼気成分測定システム１によれば、所定の時間内に吹き込みが開始された場合、測定開始後の撮像が禁止される。この結果、本実施形態の呼気成分測定システム１によれば、撮像が行われた後に、被験者が入れ替わってアルコール濃度の測定を行うことを防ぐことができる。また、本実施形態の呼気成分測定システム１によれば、撮像後に測定が行われるので、呼気に含まれるアルコール成分のガス濃度を被験者が中断することなく測定可能とすることができる。
【００８９】
また、本実施形態において、所定時間（第１時間）は、操作部（例えばシャッターボタン４３、操作入力部４２、操作入力部１３）が操作されてから、被験者が当該呼気成分測定システムに息を吹き込むまでの時間である。
これにより、本実施形態の呼気成分測定システム１では、撮像された画像にマウスピース３０の画像が含まれることになる。この結果、本実施形態の呼気成分測定システム１によれば、被験者本人が撮像され、撮像された人が測定されていることになるので、測定被験者の顔が通常時の際に撮像を行うことができる。これにより、本実施形態では、被験者の顔を撮影して本人確認を簡易にして替え玉行為を防止することができる。
【００９０】
なお、本実施形態では、呼気成分測定装置２が運転可否の判断を行い、運転可否の判断が行われた結果を、呼気成分測定装置２の報知部１１上に結果等を表示させる例を説明したが、これに限られない。呼気成分測定装置２がアルコール濃度の測定結果を、送受信部２５および通信ケーブル６０を介して情報処理端末４０に送信するようにしてもよい。そして、情報処理端末４０は、受信した測定結果に基づいて運転可否の判断を実行し、判断した結果を情報処理端末４０の表示部４５上に、運転可否の判断結果を表示させるようにしてもよい。この場合、情報処理端末４０は、判断した結果を、送受信部４４および通信ケーブル６０を介して呼気成分測定装置２に送信するようにしてもよい。
【００９１】
なお、本実施形態では、情報処理端末４０に通信ケーブル７０を介して撮像装置５０が接続されている例を説明したが、これに限られない。例えば、呼気成分測定装置２に通信ケーブル７０を介して撮像装置５０が接続されていてもよい。
【００９２】
また、本実施形態では、第１時間が固定の場合を説明したが、第１時間を被験者に応じて変更するようにしてもよい。例えば、被験者は、測定を開始する前に、自分の個人ＩＤを入力または選択するようにしてもよい。または、情報処理端末４０は、撮像された画像に対して、周知の画像認識の手法を用いて、被験者を認識するようにしてもよい。
そして、情報処理端末４０は、この個人ＩＤに対応する過去の測定データを管理装置８０から取得するか、または自装置に記憶されている測定結果を読み出すようにしてもよい。そして、情報処理端末４０は、取得した測定結果に運転不可情報（ＮＧ）が含まれている場合、第１時間を短くする指示（例えば５秒を３秒にする）を、呼気成分測定装置２に送信するようにしてもよい。過去にアルコール濃度の高い値が検出された被験者は、替え玉行為（なりすまし行為）を行う可能性が、他の被験者より高い場合があるため、第１時間を短縮させるようにしてもよい。
あるいは、情報処理端末４０は、取得した測定結果に運転不可情報（ＮＧ）が含まれている場合、第１時間内に複数の画像を撮像させるようにしてもよい。
【００９３】
さらに、情報処理端末４０は、第１時間内に息の吹き込みの開始が検知できなかった場合であっても、撮像された画像、撮像した日時、測定に失敗した回数、被験者に関する情報を関連づけて自装置に記憶させるようにしてもよく、または関連づけた情報を、通信網を介して管理装置８０に送信するようにしてもよい。
このように測定に到らなかったデータも保存しておくことで、例えば特定の被験者に失敗が多い場合に、情報処理端末４０がデータを確認することで、なりすまし行為を行おうとして測定が失敗しているのか、撮像後、マウスピース３０に息をうまく吹き込めずに失敗しているかを、複数の画像データに対して、周知の画像認識手法によって判別するようにしてもよい。これにより、情報処理端末４０は、なりすまし行為を行おうとした被験者を検知することができる。また、情報処理端末４０は、息を吹き込むまでに時間を要している被験者に対しては、第１時間を延長するように変更することができる。なお、呼気成分測定装置２は、第１時間内において、例えば、圧力値が検出できてもしきい値を超えていない場合、吹き込みが行われているが失敗していると判断するようにしてもよい。このように、呼気成分測定装置２は、失敗している理由を推定し、推定した失敗理由を示す情報を情報処理端末４０に送信するようにしてもよい。情報処理端末４０は、受信したこの情報に基づいて、マウスピース３０に息をうまく吹き込めずに失敗しているかを判断するようにしてもよい。
【００９４】
また、本実施形態では、呼気成分測定システム１が呼気成分測定装置２および情報処理端末４０を、１個ずつ備える例を説明したが、呼気成分測定装置２および情報処理端末４０それぞれの数は複数であってもよい。例えば、呼気成分測定システム１は、１個の情報処理端末４０と、ｎ（ｎは２以上の整数）個の呼気成分測定装置２を含んで構成されていてもよい。この場合、ｎ個の呼気成分測定装置２それぞれは、例えばプログラムが起動されたとき自装置の識別子を情報処理端末４０に送信し、情報処理端末４０が受信した識別子と識別子に対応する被験者の撮像された画像とを関連づけて記憶部４６に記憶させるようにしてもよい。また、情報処理端末４０は、ｎ個の呼気成分測定装置２に撮影および測定順番を送信し、１人分ずつの撮像と測定とを行うようにしてもよい。これにより、被験者は、１人が１個の呼気成分測定装置２を利用することができるので、例えば、複数の運転手が車両に同乗し、交代で運転を行う場合であっても、出発時に、１個の情報処理端末４０を用いて、測定を行うことができる。
【００９５】
なお、本実施形態では、呼気成分測定装置２の本体１０がタイマー部２９を備える例を説明したが、これに限られない。情報処理端末４０がタイマー部２９を備えていてもよい。この場合、情報処理端末４０は、撮像後にカウントを開始させ、呼気成分測定装置２から吹き込みが開始されてことを示す情報を受信して、新たな撮像の許可、不許可を制御するようにしてもよい。
【００９６】
［第２実施形態］
第１実施形態では、撮像装置５０が通信ケーブル７０を介して情報処理端末４０に接続されて、情報処理端末４０が撮像装置５０の撮像を制御する例を説明したが、撮像装置を呼気成分測定装置２が備えていてもよい。
【００９７】
図１２は、本実施形態に係る呼気成分測定装置２の本体１０Ａのブロック図である。
図１２に示すように、呼気成分測定装置２の本体１０Ａは、報知部１１、操作入力部１３、ガスセンサ１５、圧力センサ１６、エアバレル１７、ソレノイド１８、送受信部２５、記憶部２８、タイマー部２９、制御部１００Ａ、撮像装置３０１、及びシャッターボタン３１１を備えている。なお、本体１０（図５）と同じ機能を有する機能部には同じ符号を用いて、説明を省略する。なお、撮像装置３０１は、不図示のケーブルを介して本体１０Ａに接続されていてもよい。
【００９８】
シャッターボタン３１１は、撮像装置３０１に撮像を行わせるボタンであり、被験者によってシャッターボタン３１１が押されたことが検出されたとき、撮像を指示する撮像指示信号を制御部１００Ａに出力する。なお、操作入力部１３が、シャッターボタン３１１を備えていてもよい。
撮像装置３０１は、制御部１００Ａの制御に応じて撮像を行い、撮像した画像の画像データを制御部１００Ａに出力する。
【００９９】
制御部１００Ａは、シャッターボタン３１１から入力された撮像指示信号を受け取る。制御部１００Ａは、撮像が禁止されていない場合、受け取った撮像指示信号に基づいて、撮像装置３０１に撮像を行わせ、撮像が禁止されている場合、撮像装置３０１に撮像を行わせないように制御する。制御部１００Ａは、撮像装置３０１から入力される画像データを、送受信部２５及び通信ケーブル６０を介して、情報処理端末４０に送信する。なお、制御部１００Ａは、撮像された画像データを測定結果と関連づけて、記憶部２８に記憶させるようにしてもよい。なお、制御部１００Ａは、例えば、シャッターボタン３１１が押されても撮像指示を受け付けないことで撮像を禁止してもよく、または、撮像装置３０１が送信した画像データを受信しないことで撮像を禁止してもよく、あるいは、撮像装置３０１が送信した画像データを受信しても記憶部２８に記憶しないことで撮像を禁止してもよい。
【０１００】
また、制御部１００Ａは、制御部１００と同様に、呼気流入判断部１０１、動作制御部１０２、アルコール濃度測定部１０３、判定部１０４、および報知情報生成部１０５を備える。制御部１００Ａは、呼気成分の測定を制御するとともに、電源スイッチ１２や操作入力部１３等からの入力や、報知部１１の出力等、呼気成分測定装置２の全体を制御し、測定結果を記憶部２８に記憶させる。
【０１０１】
次に、呼気成分測定装置２の本体１０Ａが行う処理手順を説明する。
図１３は、本実施形態に係る呼気成分測定の処理手順を示すフローチャートである。
【０１０２】
（ステップＳ３０１）制御部１００Ａは、ステップＳ３０１をステップＳ１０１（図９）と同様に行う。
（ステップＳ３０２）動作制御部１０２Ａは、記憶部２８に記憶されている呼気成分測定プログラムを起動させる。動作制御部１０２Ａは、撮像禁止の解除の設定を行う。動作制御部１０２Ａは、処理をステップＳ３０３に進める。
【０１０３】
（ステップＳ３０３）動作制御部１０２Ａは、シャッターボタン４３から入力された撮像指示信号に応じて、撮像装置３０１に被験者の顔を含む領域の画像を撮像させる。動作制御部１０２Ａは、処理をステップＳ３０４に進める。
（ステップＳ３０４）動作制御部１０２Ａは、撮像された画像を記憶部２８に記憶させる。次に、動作制御部１０２Ａは、撮像された画像を、送受信部２５及び通信ケーブル６０を介して情報処理端末４０に送信する。動作制御部１０２Ａは、処理をステップＳ３０５に進める。
【０１０４】
（ステップＳ３０５）制御部１００Ａは、ステップＳ１０４〜Ｓ１０９（図９）と同様に処理を行う。制御部１００Ａは、処理をステップＳ３０６に進める。
（ステップＳ３０６）第１時間内に吹き込みが開始された場合、動作制御部１０２Ａは、これ以後に測定される測定結果を有効なデータとする。次に、動作制御部１０２Ａは、測定中および測定後の撮像を禁止し、新たな画像データを取得することを禁止する設定を行う。動作制御部１０２Ａは、処理をステップＳ３０７に進める。
【０１０５】
（ステップＳ３０７）制御部１００Ａは、ステップＳ１１１〜Ｓ１２０（図９）と同様に処理を行う。
以上で、呼気成分測定装置２が行う処理を終了する。
【０１０６】
以上のように、本実施形態の呼気成分測定装置２は、アルコール濃度を測定するセンサ（例えばガスセンサ１５）と、撮像装置（例えば撮像装置３０１）と、撮像装置に撮像を行わせる操作部（例えばシャッターボタン３１１、操作入力部１３）と、操作部が操作されてからの経過時間を計時する計時部（例えばタイマー部２９）と、計時部によって計時された時間が所定時間内にある場合に、センサが測定した測定データを有効とし、新たな画像データの取り込みを禁止し、計時された時間が所定時間内にない場合に、センサが測定した測定データを無効とし、新たな画像データの取り込みを有効とする測定制御部（例えば制御部１００Ａ）と、を備える。
【０１０７】
この構成によって、本実施形態の呼気成分測定システム１では、第１実施形態と同様に、仮に、撮像後に被験者が入れ替わろうとしても、マウスピース３０に息の吹き込みを始めるタイミングが遅くなるため、再度、撮像からやり直す。また、本実施形態の呼気成分測定システム１によれば、所定の時間内に吹き込みが開始された場合、測定開始後の撮像が禁止される。この結果、本実施形態の呼気成分測定システム１によれば、撮像が行われた後に、被験者が入れ替わってアルコール濃度の測定を行うことを防ぐことができる。また、本実施形態の呼気成分測定システム１によれば、撮像後に測定が行われるので、呼気に含まれるアルコール成分のガス濃度を被験者が中断することなく測定可能とすることができる。
【０１０８】
なお、本発明における制御部（１００、１００Ａ）、アプリケーション実行部４７の機能を実現するためのプログラムをコンピュータ読み取り可能な記録媒体に記録して、この記録媒体に記録されたプログラムをコンピュータシステムに読み込ませ、実行することにより各部の制御、アルコール濃度の演算や運転可否の判断等を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１０９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１１０】
１…呼気成分測定システム、２…呼気成分測定装置、１０、１０Ａ…本体、１１…報知部、１２…電源スイッチ、１３…操作入力部、１４…取付部、１５…ガスセンサ、１６…圧力センサ、１７…エアバレル、１８…ソレノイド、２５…送受信部、２８…記憶部、２９…タイマー部、３０…マウスピース、４０…情報処理端末、５０、３０１…撮像装置、６０、７０…通信ケーブル、４１…通信Ｉ／Ｆ、４２…操作入力部、４３、３１１…シャッターボタン、４４…送受信部、４５…表示部、４６…記憶部、４７…アプリケーション実行部、８０…管理装置、８１…記憶部、１００、１００Ａ…制御部、１０１…呼気流入判断部、１０２、１０２Ａ…動作制御部、１０３…アルコール濃度測定部、１０４…判定部、１０５…報知情報生成部
【図１】
2015175665.tif 000003
【図２】
2015175665.tif 000004
【図３】
2015175665.tif 000005
【図４】
2015175665.tif 000006
【図５】
2015175665.tif 000007
【図６】
2015175665.tif 000008
【図７】
2015175665.tif 000009
【図８】
2015175665.tif 000010
【図９】
2015175665.tif 000011
【図１０】
2015175665.tif 000012
【図１１】
2015175665.tif 000013
【図１２】
2015175665.tif 000014
【図１３】
2015175665.tif 000015